(57)【要約】【課題】便器からの空気を脱臭器と空気調質器のいずれにも接触させることができるトイレ装置を提供する。【解決手段】ダンパ２１によって第２風路１２を閉じ、第３風路１３を開け、ファン２０及びイオン発生器２３を作動させると、便器１内の空気は、第１風路１１、第３風路１３、第４風路１４を流れ、イオンを含んだ空気がトイレ室内へ供給される。ダンパ２１によって第３風路１３を閉じ、第２風路１２を開けると、便器１内の空気は、第１風路１１、第２風路１２及び第４風路１４の順に流れ、脱臭器２２で脱臭処理された後、イオンを含むようになり、次いでトイレ室内へ供給される。【選択図】図１
2009030413.tif 000002
【特許請求の範囲】
【請求項１】
便器内外を連通する風路と、
該風路に設けられた脱臭器、送風用ファン及び空気調質器と
を備えたトイレ装置において、
該空気調質器は、脱臭器を経由する空気及び該脱臭器を経由しない空気のいずれとも接触しうるように配置されていることを特徴とするトイレ装置。
【請求項２】
請求項１において、前記風路は、便器側の第１風路と、該第１風路から分岐した第２及び第３風路と、第２及び第３風路が合流した第４風路よりなり、
該第１風路又は第４風路に前記ファンが配置され、
該第２風路に前記脱臭器が配置され、
該第４風路に前記空気調質器が配置され、
該第１風路からの空気を第２風路及び第３風路に択一的に流すための風路切替手段が設けられていることを特徴とするトイレ装置。
【請求項３】
請求項２において、前記第１風路に便器内からの空気と便器外からの空気とを択一的に流入させる導入空気切替手段が設けられていることを特徴とするトイレ装置。
【請求項４】
請求項１において、
前記風路の便器側に前記脱臭器が配置され、該脱臭器よりも下流側に前記ファン及び空気調質器が配置され、
該脱臭器よりも下流側かつ該ファン及び空気調質器よりも上流側に、便器外からの空気を該風路に流入させる空気導入部が設けられ、
便器からの空気と該空気導入部からの空気を該風路内に択一的に流入させる導入空気切替手段が設けられていることを特徴とするトイレ装置。
【請求項５】
請求項１ないし４のいずれか１項において、前記空気調質器は空気温度の調節器又はイオン発生器であることを特徴とするトイレ装置。
【発明の詳細な説明】
【技術分野】
【０００１】
本発明は、トイレ装置に係り、特に空調機能又はイオンの発生機能などの空気調質機能を備えたトイレ装置に関する。
【背景技術】
【０００２】
便器脱臭機能とトイレ暖房機能とを備えたトイレ装置として、特開平１１−１３１５６７に、ファンを備えた脱臭ダクトの途中に切替ダンパを設け、便器からの空気を脱臭触媒のみを経由してトイレルームに流すか、又は便器からの空気をエアヒータのみを経由してトイレルームに流すように切替可能としたものが記載されている。
【特許文献１】特開平１１−１３１５６７
【発明の開示】
【発明が解決しようとする課題】
【０００３】
上記特開平１１−１３１５６７のトイレ装置にあっては、便器からの空気をヒータに通すか又は脱臭触媒に通すかの択一的送風しかできず、便器からの空気をヒータ及び脱臭触媒の双方に通すことはできない。
【０００４】
本発明は、便器からの空気を脱臭器と空気調質器のいずれにも接触させることができるトイレ装置を提供することを目的とする。
【０００５】
また、本発明は、その一態様において、便器を経由することなく空気調質器にトイレ室内の空気を流すことができるトイレ装置を提供することを目的とする。
【課題を解決するための手段】
【０００６】
請求項１のトイレ装置は、便器内外を連通する風路と、該風路に設けられた脱臭器、送風用ファン及び空気調質器とを備えたトイレ装置において、該空気調質器は、脱臭器を経由する空気及び該脱臭器を経由しない空気のいずれとも接触しうるように配置されていることを特徴とするものである。
【０００７】
請求項２のトイレ装置は、請求項１において、前記風路は、便器側の第１風路と、該第１風路から分岐した第２及び第３風路と、第２及び第３風路が合流した第４風路よりなり、該第１風路又は第４風路に前記ファンが配置され、該第２風路に前記脱臭器が配置され、該第４風路に前記空気調質器が配置され、該第１風路からの空気を第２風路及び第３風路に択一的に流すための風路切替手段が設けられていることを特徴とするものである。
【０００８】
請求項３のトイレ装置は、請求項２において、前記第１風路に便器内からの空気と便器外からの空気とを択一的に流入させる導入空気切替手段が設けられていることを特徴とするものである。
【０００９】
請求項４のトイレ装置は、請求項１において、前記風路の便器側に前記脱臭器が配置され、該脱臭器よりも下流側に前記ファン及び空気調質器が配置され、該脱臭器よりも下流側かつ該ファン及び空気調質器よりも上流側に、便器外からの空気を該風路に流入させる空気導入部が設けられ、便器からの空気と該空気導入部からの空気を該風路内に択一的に流入させる導入空気切替手段が設けられていることを特徴とするものである。
【００１０】
請求項５のトイレ装置は、請求項１ないし４のいずれか１項において、前記空気調質器は空気温度の調節器又はイオン発生器であることを特徴とするものである。
【発明の効果】
【００１１】
請求項１〜５のトイレ装置によると、便器からの空気を脱臭器と空気調質器とのいずれにも接触させることができる。
【００１２】
請求項３，４のトイレ装置によると、トイレ室内の空気を、便器及び脱臭器を経由せずに空気調質器に流すことができる。
【発明を実施するための最良の形態】
【００１３】
以下、図面を参照して実施の形態について説明する。第１図は実施の形態に係るトイレ装置を備えた便器設備の斜視図、第２図はこのトイレ装置の模式的な風路構成図である。
【００１４】
洋風便器１の上面に便座２及び便蓋３と、各種トイレの電装品を収容した便座ボックス４とが設けられている。該便座ボックス４は、洋風便器１の上面の最後部に配置されており、この便座ボックス４の前部に該便座２及び便蓋３が起倒方向回動自在に取り付けられている。この便座ボックス４内にトイレ装置１０が設けられている。
【００１５】
このトイレ装置１０は、上流側が便器１の便鉢内に臨んでいる第１風路１１と、該第１風路１１から分岐した第２風路１２及び第３風路１３と、該第２風路１２及び第３風路１３が合流した第４風路１４と、第１風路１１内に設けられた送風用ファン２０と、第２風路内の活性炭脱臭カートリッジなどの脱臭器２２と、第４風路１４に臨んで設けられたイオン発生器２３等を備えている。
【００１６】
第１風路１１の末端部には、第１風路１１からファン２０によって送られてくる風を、第２風路１２と第３風路１３とに択一的に流すために切替ダンパ２１が設けられている。このダンパ２１はモータ２１ａによって回動される。なお、ファン２０は第４風路１４に設けられてもよい。
【００１７】
イオン発生器２３は、空気中にイオンを発生させるための放電用電極（図示略）を備えたものである。一般的に、マイナスイオンは人をリラックスさせる効果があり、プラスイオンとマイナスイオンを発生させるとカビ等を抑制する効果があるといわれている。このイオン発生器２３としては、特開２００２−２１６９３３号公報などに見られるものなど各種のものが用いられる。
【００１８】
このトイレ装置１０の作動形態は次の(ｉ)，(ii)の２パターンである。
【００１９】
(ｉ)  イオン発生器２３にのみ通風する運転
第２図の実線で示すようにダンパ２１によって第２風路１２を閉じ、第３風路１３を開け、ファン２０及びイオン発生器２３を作動させる。便器１内の空気は、第１風路１１、第３風路１３、第４風路１４を流れ、イオンを含んだ空気がトイレ室内へ供給される。
【００２０】
この運転パターンは、便器１の使用から時間が経過し、便器１内に臭気が残っていないときに行うのに好適である。脱臭器２２に通風しないので、脱臭器２２の性能が低下せず、脱臭器２２の寿命が長くなる。
【００２１】
(ii)  脱臭器２２及びイオン発生器２３に通風する運転
第２図の二点鎖線で示すようにダンパ２１によって第３風路１３を閉じ、第２風路１２を開け、ファン２０及びイオン発生器２３を作動させる。
【００２２】
これにより、便器１内の空気は、第１風路１１、第２風路１２及び第４風路１４の順に流れ、脱臭器２２で脱臭処理された後、イオンを含むようになり、次いでトイレ室内へ供給される。これにより、便器１内の空気に臭気があっても、臭気のない、イオン含有空気がトイレ室内へ供給される。
【００２３】
なお、(ii)において、必要に応じイオン発生器２３を停止してもよい。
【００２４】
第３図は別の実施の形態に係るトイレ装置１０Ａの風路構成図である。
【００２５】
この実施の形態は、上記第１，２図の実施の形態において、第１風路１１の側に流入部に第１流入口３１と第２流入口３２とを設け、これらの流入口３１，３２と第１風路１１とを択一的に連通させるための切替手段としてダンパ３３を設けたものである。このダンパ３３はモータ３３ａによって切替作動する。
【００２６】
第１流入口３１は便器１の便鉢内に臨んでおり、第２流入口３２は便器外のトイレ室内に直に臨んでいる。
【００２７】
この実施の形態では、次の（１）〜（４）の４パターンの通風が可能である。
（１）  便器１→第１流入口３１→第１風路１１→第２風路１２→第４風路１４
（２）  便器１→第１流入口３１→第１風路１１→第３風路１３→第４風路１４
（３）  室内→第２流入口３２→第１風路１１→第２風路１２→第４風路１４
（４）  室内→第２流入口３２→第１風路１１→第３風路１３→第４風路１４
【００２８】
便器脱臭を行う場合には（１）のパターンが実行される。この場合、便器１内の空気が脱臭され、次いでイオンを含有するようになってからトイレ室内に供給される。
【００２９】
イオン発生運転のみを行う場合には、（２）又は（４）のパターンが採用される。この場合、空気が脱臭器２２を通過しないので、脱臭器２２が長寿命化する。
【００３０】
（３）パターンによると、トイレ室内の脱臭と、イオン添加を行うことができる。
【００３１】
第４図はさらに別の実施の形態に係るトイレ装置１０Ｂの風路構成図である。
【００３２】
便器１内とトイレ室内とが第１風路４１及び第２風路４２を介して連通している。
【００３３】
第１風路４１内に脱臭器２２が配置され、第２風路４３内にファン２０及びイオン発生器２３が配置されている。
【００３４】
第１風路４１と第２風路４２との境界部に、風路内をトイレ室内に短絡的に連通するための空気導入部としての第３風路４３が接続されている。第１風路４１と第３風路４３とを第２風路４２に択一的に連通させるための切替用ダンパ４４が設けられている。このダンパ４４はモータ４４ａによって切替作動する。
【００３５】
ダンパ４４が図示の実線のように第１風路４１を閉じた場合、トイレ室内の空気が便器１及び脱臭器２２を経由することなく第２風路４２内に導入し、イオンを含ませた後、トイレ室内へ流出させることができる。この場合、脱臭器２２に空気を通風しないので、脱臭器２２の寿命が長くなる。
【００３６】
ダンパ４４が図示の二点鎖線のように第３風路４３を閉じた場合、便器１内の空気を脱臭器２２で脱臭処理し、イオン発生器２３でイオンを含ませた後、トイレ室内へ流出させることができる。
【００３７】
上記実施の形態はいずれも本発明の一例であり、本発明は図示以外の形態をもとりうる。本発明では、イオン発生器２３以外の空気調質器を採用してもよい。そのよう空気調質器としては、暖房器（エアヒータなど）、冷房器、冷暖房器（エアコン）、除湿器、加湿器、殺菌器、芳香剤などが例示される。イオン発生器と冷暖房など、複数の空気調質器を組み合わせてもよい。
【図面の簡単な説明】
【００３８】
【図１】実施の形態に係るトイレ装置を備えた洋風便器の斜視図である。
【図２】実施の形態に係るトイレ装置の風路構成図である。
【図３】別の実施の形態に係るトイレ装置の構成図である。
【図４】さらに別の実施の形態に係るトイレ装置の構成図である。
【符号の説明】
【００３９】
１  洋風便器
４  便座ボックス
１０，１０Ａ，１０Ｂ  トイレ装置
２０  ファン
２１，４４  ダンパ
２２  脱臭器
２３  イオン発生器
【図１】
2009030413.tif 000003
【図２】
2009030413.tif 000004
【図３】
2009030413.tif 000005
【図４】
2009030413.tif 000006